(57)【要約】【課題】  ユーザーが指先でカード型記録媒体を押し込むスロット状の開口が狭いカード型記録媒体の供給排出構造を備える電子機器であっても、ユーザーの操作が容易で、指先の爪が割れるような不具合の発生が少ないカード型記録媒体の供給排出構造を提供する。【解決手段】  カード型記録媒体の供給排出構造は、カード型記録媒体を所定位置に供給する又は排出する供給排出部と、供給排出部が固定されてカード型記録媒体が通過する第１開口を規定する筐体と、筐体の第１開口を覆い、かつ、その中央部にカード型記録媒体が通過する第２開口を規定する蓋部材と、を備えるカード型記録媒体の供給排出構造であって、蓋部材が、所定の厚みを有する略板状の部材として弾性材料により形成され、筐体に固定される外周固定部と、固定部の内周側に第２開口を規定する弾性変形可能な第２開口周囲部と、を含む。【選択図】  図２
2018041348.tif 000002
【特許請求の範囲】
【請求項１】
カード型記録媒体を所定位置に供給する又は排出する供給排出部と、該供給排出部が固定されて該カード型記録媒体が通過する第１開口を規定する筐体と、該筐体の該第１開口を覆い、かつ、その中央部に該カード型記録媒体が通過する第２開口を規定する蓋部材と、を備えるカード型記録媒体の供給排出構造であって、
該蓋部材が、所定の厚みを有する略板状の部材として弾性材料により形成され、該筐体に固定される外周固定部と、該外周固定部の内周側に該第２開口を規定する弾性変形可能な第２開口周囲部と、を含む、
カード型記録媒体の供給排出構造。
【請求項２】
前記蓋部材が、前記第２開口を規定する前記第２開口周囲部の厚み寸法ｔ２が前記外周固定部の厚み寸法ｔ１よりも小さく形成される、
請求項１に記載のカード型記録媒体の供給排出構造。
【請求項３】
前記蓋部材が、前記第２開口周囲部の前記供給排出部または前記筐体の側に、該第２開口周囲部が弾性変形した場合に該供給排出部または該筐体に触れることなく移動する逃げ空間を規定する、
請求項２に記載のカード型記録媒体の供給排出構造。
【請求項４】
前記蓋部材が、前記第２開口周囲部の前記供給排出部または前記筐体の側に、前記厚み寸法ｔ２および前記逃げ空間を規定するテーパー部を有する、
請求項３に記載のカード型記録媒体の供給排出構造。
【請求項５】
前記供給排出部が、前記カード型記録媒体を前記所定位置に供給した場合に、該カード型記録媒体が前記蓋部材から突出すること無く内部側に収まり、該カード型記録媒体を該所定位置から排出した場合に、該カード型記録媒体の一部が該蓋部材の前記第２開口から突出する、
請求項１から４のいずれかに記載のカード型記録媒体の供給排出構造。
【請求項６】
ユーザーが前記カード型記録媒体の端部および前記蓋部材の前記第２開口周囲部をともに指先で前記筐体の内部側に押し込むことにより、前記供給排出部が、該カード型記録媒体を前記所定位置に供給する、または、該所定位置から排出する、
請求項５に記載のカード型記録媒体の供給排出構造。
【請求項７】
請求項１から６のいずれかに記載のカード型記録媒体の供給排出構造を含む、電子機器。
【発明の詳細な説明】
【技術分野】
【０００１】
本発明は、カード型記録媒体の供給排出構造およびこれを含む電子機器に関し、特に、ユーザーが指先でカード型記録媒体を押し込むスロット状の開口が極めて狭いカード型記録媒体の供給排出構造を備える電子機器に関する。
【背景技術】
【０００２】
ＤＡＰ（Digital Audio Player）、携帯電話、デジタルカメラ、ＰＣ（Personal Computer）などの電子機器では、電子機器で使用するデータを記憶するのにあたって、小さくて薄いカード型の記録媒体を使用するものがある。カード型記録媒体としては、例えば、ＳＤ（Secure Digital）カードと呼称されるカード型記録媒体の規格が使用されている。そのような電子機器は、カード型記録媒体を記録／読取部に供給排出可能にするカード型記録媒体の供給排出構造を有する。
【０００３】
カード型記録媒体の供給排出構造では、電子機器の筐体に設けられるスロット状の開口にユーザーが指先でカード型記録媒体を押し込むことで、カード型記録媒体を所定の位置に供給する、または、所定の位置から排出する機構が採用されている場合がある。カード型記録媒体は小さくて薄い外形であるので、ＤＡＰまたは携帯電話などのポータブル機器に適する一方で、スロット状の開口が狭いので、ユーザーがカード型記録媒体を挿入しにくい場合があるという問題がある。
【０００４】
例えば、従来には、カード型情報デバイスを装着して情報の授受を行う携帯情報端末のカード型情報デバイスの収納構造であって、装着したカード型情報デバイスに当接し、カード型情報デバイスの取出し時の移動を制動する規制部を設け、規制部は、操作キーを形成するキーパッドが貼り付けられたキーラバーの一部に設けた携帯情報端末のカード型情報デバイスの収納構造がある（特許文献１）。
【０００５】
特に、ポータブル機器に用いられるカード型記録媒体の供給排出構造では、筐体の側面部分に設けられるスロット状の開口に、ユーザーが指先でカード型記録媒体を押し込むことで、カード型記録媒体を供給する、または、排出する構造が採用されること多い。しかしながら、意匠デザイン上の観点並びに防塵の観点から、筐体の側面部分に露出するカード型記録媒体が通過するスロット状の開口を狭くすると、ユーザーが指先でカード型記録媒体を押し込むことが難しくなるという問題がある。ユーザーが指先の爪で押し込む動作を試みる場合には、強固な金属又は樹脂で形成される筐体の開口部に爪が触れてしまい、爪が割れるなどの不具合が生じる場合がある。
【先行技術文献】
【特許文献】
【０００６】
【特許文献１】特開２００６―１２７８２８号公報
【発明の概要】
【発明が解決しようとする課題】
【０００７】
本発明は、上記の従来技術が有する問題を解決するためになされたものであり、その目的は、ユーザーが指先でカード型記録媒体を押し込むスロット状の開口が狭いカード型記録媒体の供給排出構造を備える電子機器であっても、ユーザーの操作が容易で、指先の爪が割れるような不具合の発生が少ないカード型記録媒体の供給排出構造を提供することにある。
【課題を解決するための手段】
【０００８】
本発明のカード型記録媒体の供給排出構造は、カード型記録媒体を所定位置に供給する又は排出する供給排出部と、供給排出部が固定されてカード型記録媒体が通過する第１開口を規定する筐体と、筐体の第１開口を覆い、かつ、その中央部にカード型記録媒体が通過する第２開口を規定する蓋部材と、を備えるカード型記録媒体の供給排出構造であって、蓋部材が、所定の厚みを有する略板状の部材として弾性材料により形成され、筐体に固定される外周固定部と、外周固定部の内周側に第２開口を規定する弾性変形可能な第２開口周囲部と、を含む。
【０００９】
好ましくは、本発明のカード型記録媒体の供給排出構造は、蓋部材が、第２開口を規定する第２開口周囲部の厚み寸法ｔ２が前記外周固定部の厚み寸法ｔ１よりも小さく形成される。
【００１０】
好ましくは、本発明のカード型記録媒体の供給排出構造は、蓋部材が、第２開口周囲部の供給排出部または筐体の側に、第２開口周囲部が弾性変形した場合に供給排出部または筐体に触れることなく移動する逃げ空間を規定する。
【００１１】
好ましくは、本発明のカード型記録媒体の供給排出構造は、蓋部材が、第２開口周囲部の供給排出部または筐体の側に、厚み寸法ｔ２および逃げ空間を規定するテーパー部を有する。
【００１２】
好ましくは、本発明のカード型記録媒体の供給排出構造は、供給排出部が、カード型記録媒体を所定位置に供給した場合に、カード型記録媒体が蓋部材から突出すること無く内部側に収まり、カード型記録媒体を所定位置から排出した場合に、カード型記録媒体の一部が蓋部材の第２開口から突出する。
【００１３】
好ましくは、本発明のカード型記録媒体の供給排出構造は、ユーザーがカード型記録媒体の端部および蓋部材の第２開口周囲部をともに指先で筐体の内部側に押し込むことにより、供給排出部が、カード型記録媒体を所定位置に供給する、または、所定位置から排出する。
【００１４】
また、本発明の電子機器は、上記のカード型記録媒体の供給排出構造を含む。
【００１５】
以下、本発明の作用について説明する。
【００１６】
本発明のカード型記録媒体の供給排出構造は、カード型記録媒体を所定位置に供給する又は排出する供給排出部と、供給排出部が固定されてカード型記録媒体が通過する第１開口を規定する筐体と、筐体の第１開口を覆い、かつ、その中央部にカード型記録媒体が通過する第２開口を規定する蓋部材と、を備える。カード型記録媒体の供給排出構造は、供給排出部が、カード型記録媒体を所定位置に供給した場合に、カード型記録媒体が蓋部材から突出すること無く内部側に収まり、カード型記録媒体を所定位置から排出した場合に、カード型記録媒体の一部が蓋部材の第２開口から突出するのが好ましい。また、電子機器は、このカード型記録媒体の供給排出構造を含む。
【００１７】
したがって、ユーザーが指先でカード型記録媒体を押し込むスロット状の開口が狭いカード型記録媒体の供給排出構造を備える電子機器であっても、蓋部材が供給排出構造に埃や塵が侵入することを防ぐとともに、蓋部材に設けられる第２開口をカード型記録媒体が通過する最小の大きさに抑えて、ユーザーがカード型記録媒体を容易に電子機器の記録／読取部に供給する、または、排出することができる。
【００１８】
この蓋部材は、所定の厚みを有する略板状の部材として弾性材料により形成され、筐体に固定される外周固定部と、外周固定部の内周側に第２開口を規定する弾性変形可能な第２開口周囲部と、を含む。具体的には、蓋部材は、所定の厚み寸法ｔ１を有する略板状の部材として弾性材料により形成され、第２開口を規定する第２開口周囲部の厚み寸法ｔ２が厚み寸法ｔ１よりも小さく形成される。厚みの薄い第２開口周囲部は、弾性変形しやすくなる。
【００１９】
したがって、カード型記録媒体の供給排出にあたって、ユーザーがカード型記録媒体の端部および蓋部材の第２開口周囲部をともに指先で筐体の内部側に押し込むことができるので、確実に供給排出部が、カード型記録媒体を所定位置に供給する、または、所定位置から排出することができる。また、ユーザーの指先の爪が弾性を有する蓋部材に触れるので、爪が割れるなどの不具合が生じない。
【００２０】
具体的には、弾性材料により形成される蓋部材は、第２開口周囲部の供給排出部または筐体の側に、第２開口周囲部が弾性変形した場合に供給排出部または筐体に触れることなく移動する逃げ空間を規定する。蓋部材は、厚み寸法ｔ２および逃げ空間を規定するテーパー部を有するように形成すると、第２開口周囲部の供給排出部または筐体の側に、逃げ空間を規定することができる。その結果、ユーザーがカード型記録媒体の端部および蓋部材の第２開口周囲部をともに指先で筐体の内部側に押し込むことができる。
【発明の効果】
【００２１】
本発明のカード型記録媒体の供給排出構造は、ユーザーが指先でカード型記録媒体を押し込むスロット状の開口が狭いカード型記録媒体の供給排出構造を備える電子機器であっても、ユーザーの操作が容易であり、指先の爪が割れるような不具合の発生を防ぐことができる。
【図面の簡単な説明】
【００２２】
【図１】本発明の好ましい実施形態によるカード型記録媒体の供給排出構造１について説明する斜視図である。（実施例１）
【図２】本発明の好ましい実施形態によるカード型記録媒体の供給排出構造１について説明する断面図である。（実施例１）
【図３】本発明の好ましい実施形態によるカード型記録媒体の供給排出構造１について説明する断面図である。（実施例１）
【発明を実施するための形態】
【００２３】
以下、本発明の好ましい実施形態によるカード型記録媒体の供給排出構造およびこれを含む電子機器について説明するが、本発明はこれらの実施形態には限定されない。
【実施例１】
【００２４】
図１は、本発明の好ましい実施形態によるカード型記録媒体の供給排出構造１について説明する斜視図である。具体的には、本実施例の供給排出構造１は、ポータブル機器であるＤＡＰ（Digital Audio Player）の筐体３に内蔵されるカード型記録媒体の供給排出構造であって、カード型の記録媒体としてＳＤカード２を使用することができる。なお、図１は、ＤＡＰの一部拡大斜視図である。説明に不要な一部の構造や、内部構造等は、図示ならびに説明を省略している。
【００２５】
ＤＡＰのＳＤカード２の供給排出構造１には、薄型の筐体３の側面にＳＤカード２が挿入されるスロット状の開口１１が設けられている。スロット状の開口１１は、後述する供給排出部４を覆う蓋部材１０に設けられている。ユーザーは、スロット状の開口１１にＳＤカード２を指で押し込むことで、ＳＤカード２を内部の所定の位置に供給し、ＤＡＰから排出する。
【００２６】
図２および図３は、図１の供給排出構造１の一部断面図であり、ユーザーの指６が、ＳＤカード２を押し込んで、ＳＤカード２を供給する、または、排出する動作を説明する図である。ＤＡＰの筐体３は、アルミニウム合金で形成されており、その内部の空間にＳＤカード２の供給排出部４が固定されている。筐体３には、ＳＤカード２が通過して供給排出部４に至るように、表面から一段掘り込まれた凹部に開口５が形成されている。そして、筐体３には、この凹部並びに開口５を覆う蓋部材１０が取り付けられている。
【００２７】
蓋部材１０は、弾性材料であるゴム質材料により、全体に厚み寸法ｔ１（約＿．＿ｍｍ）を有する略板状の部材として形成される。蓋部材１０は、所定の厚みを有する略板状の部材として弾性材料により形成され、筐体に固定される外周固定部と、外周固定部の内周側に第２開口を規定する弾性変形可能な第２開口周囲部と、を含む。
【００２８】
つまり、蓋部材１０は、その外周側の厚み寸法ｔ１の周囲部が筐体３に固定される。一方で、蓋部材１０には、その中央部にスロット状の開口１１が開口５に連通するように設けられ、ＳＤカード２が通過可能にされている。蓋部材１０の開口１１は、ＳＤカード２が通過可能な最小寸法に形成されているので、蓋部材１０は、ＤＡＰの美観を保つと共に、筐体３の内部に塵又は埃などが混入するのを防止することができる。
【００２９】
蓋部材１０は、開口１１の周囲部分の厚みｔ２が、厚み寸法ｔ１よりも小さく、薄くなるように形成されている。具体的には、蓋部材１０の筐体３の側において、開口１１の周囲には厚みが徐々に薄くなるような斜面であるテーパー部１３が設けられる。したがって、開口１１の周囲部分の厚みｔ２は、厚み寸法ｔ１よりも小さく、薄くなるように形成され、その結果、図２に図示するような逃げ空間１２が、開口１１の周囲であって筐体３ならびに供給排出部４の側に形成されている。なお、蓋部材１０のテーパー部１３は、開口１１の周囲部分の厚みｔ２が厚み寸法ｔ１よりも小さく薄くなるように形成されて、逃げ空間１２が形成されていればよく、複数の段部によって階段状のテーパーとしてもよい。
【００３０】
図２に示すように、供給排出構造１の供給排出部４は、ＳＤカード２が押し込まれる前の段階の場合、つまり、ＳＤカード２を所定位置から排出した場合において、ＳＤカード２の一部が蓋部材１０の開口１１から突出する状態になる。したがって、ユーザーは指６の先でＳＤカード２を内部側に押し込んで、ＳＤカード２を供給排出部４に供給することができる。供給排出部４は、ＳＤカード２を（図示しない）記録／読取部に供給するので、ＤＡＰはデータを記憶／再生することができる。供給排出部４がＳＤカード２を所定位置に供給した場合には、ＳＤカード２は、図１に示すように、その一端が蓋部材１０から突出すること無く内部側に収まることになる。
【００３１】
図３に示すように、ユーザーの指６がＳＤカード２を内部側の供給排出部４に押し込む操作をする場合に、供給排出構造１では、蓋部材１０に指６が触れることになる。蓋部材１０は弾性材料により形成されていて、ＳＤカード２が通過する開口１１の周囲が柔軟であるので、指６が触れると弾性変形し、内側にともに押し込まれる。蓋部材１０は、開口１１の周囲が弾性変形可能に柔軟に形成され、開口１１の周囲部の筐体３または供給排出部４の側に、ある程度弾性変形した場合に供給排出部４または筐体３に触れることなく移動する逃げ空間１２を規定するようになっているからである。したがって、ユーザーは、容易な操作でＳＤカード２の供給／排出が可能になり、ＳＤカード２を押し込んでも、指先の爪が割れるなどの不具合が生じにくいという利点がある。
【００３２】
また、ユーザーが、ＳＤカード２を供給排出部４から排出しようと操作する場合も同様である。ＳＤカード２が供給排出部４の所定位置に供給されている場合に、図３に示すように、ユーザーが指６でＳＤカード２の端部および蓋部材１０の開口１１の周囲部をともに筐体３の内部側に押し込むことができる。ＳＤカード２が内部側に押し込まれると、供給排出部４はＳＤカード２を排出するように動作する。その結果、ユーザーは、ＤＡＰのＳＤカード２を確実に所定位置から排出することができる。ユーザーは、強い力でＳＤカード２を押し込んだとしても、指先の爪が割れるなどの不具合が生じにくいのは同様である。
【００３３】
なお、筐体３の開口５を覆う蓋部材１０は、開口５に連通する開口１１を規定する周囲部の厚み寸法ｔ２が、全体の厚み寸法ｔ１よりも小さく形成されていて、指先で押す力で弾性変形可能であればよく、上記実施例のテーパー部１３を備える形状の蓋部材１０に限られるものではない。
【００３４】
つまり、蓋部材１０は、筐体３に固定される外周固定部の内周側に、開口１１を規定する弾性変形可能な開口周囲部が形成されていればよい。ユーザーは、ＳＤカード２の端部および蓋部材１０の開口１１の周囲部を、ともに指先で筐体３の内部側に押し込むことができるように、弾性変形可能な開口周囲部であればよい。例えば、蓋部材１０の開口１１の周囲部を、筐体３に固定される外周固定部よりも硬度の低い弾性樹脂で二色成型により形成してもよい。
【００３５】
上記の実施例は、ＤＡＰのＳＤカード２の供給排出構造１であるが、供給排出構造１を用いる電子機器は、携帯電話等のモバイル機器、デジタルカメラなどの記録機器であってもよい。
【産業上の利用可能性】
【００３６】
本発明のカード型記録媒体の供給排出構造およびこれを含む電子機器は、音声信号を再生する音響装置、ステレオ装置のみならず、ディスプレイ等の映像・音響機器、スピーカーを内蔵するゲーム機、電話機、等にも適用が可能である。
【符号の説明】
【００３７】
１        供給排出構造
２        ＳＤカード
３        筐体
４        供給排出部
５        開口（筐体）
６        指
１０      蓋部材
１１      開口（蓋部材）
１２      逃げ空間
１３      テーパー部
【図１】
2018041348.tif 000003
【図２】
2018041348.tif 000004
【図３】
2018041348.tif 000005